(57)【要約】【課題】流体の水質の改善を高める活性化装置の性能向上を目的としている。弱い磁石では磁界を遠くまで及ぼすことができなく流体の活性化の効率が悪い。また活性化装置を通水管に挟んで設置する場合は、通水管の外径が限定され、大きな管や貯水タンク等には設置が困難であった。強い磁石を用いた場合は、外部への磁気漏れ障害が課題であった。【解決手段】非磁性体のケ−ス本体４と、ケ−ス本体の内側底面４ｂには磁性材からなるヨーク３が設けられ、ヨークの内側底面３ｂには、この底面と接触する複数の磁石１０が設けてある。各磁石と磁石の中間隙間部に非磁性高導体２が設けてある。ヨークの側面端部３ａの長さをケース本体の側面端部４ａより短く、磁石の厚さよりも長く形成し、ケース本体内部の隙間空間には、各磁石と非磁性高導体が埋まる充填材５が充たされている。【選択図】図１
2013173083.tif 000002
【特許請求の範囲】
【請求項１】
磁石が発する磁界の中に通水管を介して流体を通過させることにより流体を改質する流体活性化装置において、
非磁性体または非磁性被膜を被覆したケース本体と、
前記ケース本体の内側底面に磁性材からなるヨークとを設け、
前記ヨークの内側底面と接触する2個以上の磁石を該ヨークの内側底面に設け、
前記ヨークの内側底面に設けられた前記各磁石の隣接間隙間に非磁性高導体を少なくとも設け、
前記ヨークの側面端部の長さを前記ケース本体の側面端部より短く、かつ前記ヨーク内側底面に固定されている磁石の厚さよりも長く形成し、
前記ケース本体の内部の隙間空間には、前記磁石と前記非磁性高導体が埋まるよう合成樹脂を充填して固化したことを特徴とする流体活性化装置。
【請求項２】
前記ヨークの側面の少なくとも片側に、該ヨークの側面端部から前記磁石厚さの中間の位置以上の深さの縦スリットを複数設けたことを特徴とする請求項１記載の流体活性化装置。
【請求項３】
前記ヨークの内側底面に設けられた前記磁石の隣接する極性が互いに逆になるように磁石を配置したことを特徴とする請求項１または２記載の流体活性化装置。
【請求項４】
前記ケース本体の側面を延長し、該ケース本体の長手方向の両端面に通水管が通る開口部を形成し、前記ヨークの側面端部を該ケース本体の前記充填材に接する該通水管の外径の半分以上まで伸ばし、該ケース本体の内側側面と嵌る非磁性体または非磁性被膜を被覆した蓋体を設け、該ケース本体の内側に該蓋体を挿入して該通水管を該ケース本体と該蓋体とで挟んで保持したことを特徴とする請求項１ないし３記載の流体活性化装置。
【発明の詳細な説明】
【技術分野】
【０００１】
本発明は、磁気を使用して流体を活性化するための装置に関し、特に飲料水や下水、または食品加工用の水や洗浄水、産業用のプラント、冷暖房装置、動力装置、動植物育成のための流体を改質し、供給や排水に至るまでの広範な流体の活性化に寄与する流体活性化装置に関する。
【背景技術】
【０００２】
上水、下水、冷却水や加工水等の流体においては、スケール、藻や赤錆等の発生により、金属製の配管の腐食、ボイラー缶の腐食、塩化ビニール管等の非金属性配管の閉塞や菌、汚染された有害物質の蓄積、冷却水系の熱交換率の低下や、有害な菌や有害物質が蓄積される等、多くの障害が配管や貯水タンクに生じる。このような有害なスケール、藻、赤錆、有害物質等が蓄積されるために、これらを抑制、除去する方法として、配管内を流れる流体に磁気を作用させて処理する方法が一般に行われている。この磁気で処理された流体の通水管やタンクの内壁では、スケール、藻や赤錆等の生成が流体の活性化により抑制され、さらに除去できることがこれまでの設備の稼働結果や実測データで証明され、効果があることが経験則として知られている。
【０００３】
この流体の活性化現象を説明する機構として、磁気処理により流体の表面張力が減少し、また溶解しているイオンや懸濁している懸濁物の表面の電荷の状態が変化することによって、スケールや藻あるいは菌等が通水管の内壁に付着し難い状態になっていることが考えられている。既に付着しているスケールにおいても、磁気処理された水の分子集団（クラスタ）の構造が小さくなった流体中では、流体がイオン化することによる電荷状態の変化により剥離しやすくなり、容易に除去されることが要因と考えられている。また、金属製の配管等における錆に関しては、磁気処理された流体によって赤錆（酸化鉄）が黒錆（四酸化三鉄）に変化し、通水管内壁に形成された黒錆の酸化皮膜によって腐食が防止されることが、本発明者の磁気活性化装置の使用後の配管の分解によって確認している。また貯水池、鯉等の養魚場や公共公園等の池等に発生する赤藻等の減少や発生防止は、公的機関の実測結果によって確認されている。さらに、植物の成長や生け花の長期保存に効果があること等も同様である。
【０００４】
流体を磁気処理で活性化する方法や装置としては、これまで様々なものが提案されている。先行文献で紹介されているように、通水管を挟んでＮ−Ｓ極を対にして磁石を管の両側に配置する構造がある。特許文献１〜３で示すように配管の内部を流れる流体に対して、通水管を挟んでＮ-Ｓ極を向き合わせた一対または複数対の磁石を配置した装置や方法（特許文献４）が提案されている。これらの例では、装置が包み込むことができる管の外径（大径では磁極の影響が弱くなる）に限界があり、さらに大型の貯水タンク等では対向する磁束の力が弱く効果が及ばない。一方、特許文献５では、永久磁石単体（１個）を配管等に配置する方法が提案されている。この先行文献の装置は、配管の上方に位置する磁極と、磁石の反対極と接する外側の磁性を有する金属性ケースを介して反対側のヨークと１対となって水を活性化する装置である。この例でも、管を挟んで対向したＮ−Ｓ極の磁力を付与する構成である。前記の例と同様に、対応できる管径や水槽の形式に限定があり、解決すべき課題は同様である。
【０００５】
一方、磁石の配置箇所として、流体の通水管の内部に磁石を直接設置する方法と、通水管の外部に設置する方法とがある。磁石を配管の内部に設置した場合は、流体に対して直接的に磁力を付与可能であるが、配管内の流体抵抗が大きくなる欠点があり、また活性化装置と配管の接続作業や、装置不具合時の確認や修理では配管を分解する必要があり、水を止めての作業自体が困難なものとなる。また、磁石の欠けや割れによる錆の発生により磁力の劣化が発生し、磁石の欠けらが飲料水に入り込む恐れ等、衛生・健康上にも問題があった。
【０００６】
一方、活性化装置を配管の外部に設置する場合、配管への設置作業や保守作業は比較的容易である。しかし、この場合、大径の管やタンク等の大型の装置では、対向する磁石のＮ-Ｓ極が遠く離れ、通水管の内部まで磁力を確実に影響させることが困難となる。その為、強力な磁石を用いる必要があるが、強力磁石の漏れによる電磁障害の不具合や、装置自体も高価となる等の欠点があった。
【０００７】
磁気処理による通水管等の内壁のスケール、藻、これらに付着する有害物質、赤錆などの生成抑制や除去する効果は、通水管の内部を流れる流体に対して、強い磁場を付与することにより、磁気による活性化効果が向上する。また、流体の流れ方向に対して付加する磁界の方向を変えることでも、流体の性質（イオン電荷状態の相違等）によって活性化が有効に働く場合がある。特許文献2では、より強い磁場を形成する方法として、通水管を挟むように一対の永久磁石を設置し、磁石の周囲を非磁性導電金属層で囲み、磁石の外側にヨークを設けて磁力を高める装置が提案されている。しかし、この先行例でも構造上、管を活水装置の内部に囲む必要があり、使用できる外径の大きさに限界がある。引用例のように、水を対向するＮ−Ｓ極の磁石で活性化するため、大径管の内部では磁力が弱くなることは、他の例と同様に避けられなかった。
【先行技術文献】
【特許文献】
【０００８】
【特許文献１】特開２０００−２４６２５６号公報
【特許文献２】特開２００４−１３０２５１号公報
【特許文献３】特開２００８−２６４６４９号公報
【特許文献４】特開２０００−７０９５１号公報
【特許文献５】特開平１１−５７７２７号公報
【発明の概要】
【発明が解決しようとする課題】
【０００９】
磁気を用いた流体活性化装置において、その活性化効果を高めるためには、強い磁場を必要とするが、通水管径の大きさによって流体を効果的に活性化するためには、さらに強力な磁石を用いる必要があり、経済的ではなかった。また貯水タンク等に設置することも構造上困難であった。その為に強力な磁石を用いた場合は、磁力の漏れが無視できなくなり、電磁障害対策が必要であった。通水管の外径の両側にＮ−Ｓ極対向の磁石を配置する構造のものでは、大きな管の場合には磁力の効果が弱かった。
【００１０】
一方、磁石を流体中に設置した構造の場合は、流体の抵抗や磁石自体の錆や欠損の危険性があり、また活性化装置と通水管との取付け作業工事が必要であり、容易に装置を組み込めることができなかった。さらに磁気漏れの防止からも、磁気漏れを安全な程度まで弱くする必要がある。本発明は、このような従来技術が有する課題に着目してなされたもので、通水管やタンク等に対して、磁石から発する磁束をより強めて水質改善の効果を高めると共に、大小の配管や貯水タンク、あるいは個別の蛇口あるいは植物への散水用のビニールホース等、各種の装置に容易に取り付けることができる流体活性化装置を提供することを目的としている。
【００１１】
また本発明は、比較的弱い磁石でも強い磁界を得ることができる。用いる磁石の数も少なくできる。本発明の流体活性化装置を取り付けることができる被対象物も、通水管さらには貯水タンク等と利用範囲が広い。さらに磁気漏れが少なく、１っの本装置で、流体の性質によっては磁場の方向を異ならせた磁石を流体の流れに対して交互に配置できる。流体の活性化に有効とされているイオンの発生が活発にでき、以上の特徴により、流体の活性化による水質改善の効果をより高める装置を提供することを目的としている。
【課題を解決するための手段】
【００１２】
以上の課題を解決するため、請求項１に記載の発明は、磁石が発する磁界の中に通水管を介して流体を通過させることにより流体を改質する流体活性化装置において；非磁性体または非磁性被膜を被覆したケース本体と；前記ケース本体の内側底面に磁性材からなるヨークとを設け；前記ヨークの内側底面と接触する2個以上の磁石を該ヨークの内側底面に設け；前記ヨークの内側底面に設けられた前記各磁石の隣接間隙間に非磁性高導体を少なくとも設け；前記ヨークの側面端部の長さを前記ケース本体の側面端部より短く、かつ前記ヨーク内側底面に固定されている磁石の厚さよりも長く形成し；前記ケース本体の内部の隙間空間には、前記磁石と前記非磁性高導体が埋まるよう合成樹脂を充填して固化したことを特徴とする流体活性化装置。
【００１３】
本発明の構成によれば、通水管等の片側に配置した磁石を用いて磁力（磁束）を増幅させることができる。このことから通水管の径の大きさの制限や貯水タンク等にも利用が可能となる。また通水管内を流れる流体に磁力と活発に発生するイオンを同時に与えることができ、より活性化効果を高めることができる。このことから安価で効率的な流体活性化装置が提供できる。
【００１４】
請求項２に記載の発明は、前記ヨークの側面の少なくとも片側に、該ヨークの側面端部から前記磁石厚さの中間の位置以上の深さの縦スリットを複数設けたことを特徴とする請求項１記載の流体活性化装置。
【００１５】
以上の構成の縦スリット（縦溝）をヨークの側面に複数個設けることで、各磁石とヨーク間の磁束の方射を多方向から付加することで、流体への活性化効果を高めることができる。
【００１６】
請求項３に記載の発明は、前記ヨークの内側底面に設けた前記磁石の隣接する極性が互いに逆になるように磁石を配置したことを特徴とする請求項１または２記載の流体活性化装置。
【００１７】
以上の構成のように、ヨークの内側底面に配置した各磁石の隣接する磁極を逆にすることで、各磁石の磁束が反発しあって収束させ磁力を遠くまで達し磁力の効果を高めることができる。さらに非磁性高導体の働きで起電力を高めて電子が発生しイオン効果を増し、磁力とイオンとの相乗効果で流体への活性化を高めることができる。
【００１８】
請求項４に記載の発明は、前記ケース本体の側面を延長し、該ケース本体の長手方向の両端面に通水管が通る開口部を形成し、前記ヨークの側面端部を該ケース本体の前記充填材に接する該通水管の外径の半分以上まで伸ばし、該ケース本体の内側側面と嵌る非磁性体または非磁性被膜を被覆した蓋体を設け、該ケース本体の内側に該蓋体を挿入して該通水管を該ケース本体と該蓋体とで挟んで保持したことを特徴とする請求項1ないし３記載の流体活性化装置。
【００１９】
通水管を非磁性体または非磁性体被膜を被覆したケース本体と蓋体で挟むことで、外部への磁気漏れを少なくできる。また、特別な工具や配管工事等の技能を要せず、通水管径の大小に対応して蓋をケース本体に追い込むことで容易に設置できる効果がある。またケース本体と蓋体を非磁性材で構成したことで、通水管への組み付け時や搬送時等に不意に両者が吸着して手指が挟まれる危険性がなくなる。
【図面の簡単な説明】
【００２０】
【図１】図1は実施例１の図２に示すＣ−Ｃ線断面図である。
【図２】図２は実施例１の外形斜視図である。
【図３】図３は実施例１の図２に示すＬ−Ｌ線断面図である。
【図４】図４は実施例１の図２を下方から見た底面図である。
【図５】図５は実施例１のヨーク３を示す外形斜視図である。
【図６】図６は実施例１のヨーク３に縦溝を設けた、ヨーク３の変形例１を示す図である。
【図７】図７は実施例１のヨーク３を、各磁石に位置する片側の側面のみを設けたヨーク３の変形例２を示す図である。
【図８】図８は、実施例１の活性化装置１を通水管Ｐの周囲に３個設けた横断面図である。
【図９】図９は本発明の実施例２の外形斜視図であり、通水管Ｐをケース本体と蓋とで挟んだ状態の図である。
【図１０】図１０は図９のＥ−Ｅ線断面図である。
【図１１】図１１は図９のＦ−Ｆ線断面図である。
【図１２】図１２は本発明の実施例３の横断面図である。
【発明を実施するための形態】
【００２１】
以下、添付した図を参照して、本発明に係る流体活性化装置について詳細に説明する。
【実施例１】
【００２２】
本発明の実施例１の流体活性化装置１は、装置全体の外形斜視図である図２に示すように、略長方体箱状の形状を呈する装置である。装置の長手方向の長さは、ケース本体４の内部に設けられている磁石の個数により異なる。本発明の実施例１の流体活性化装置１は、図１から図８に示すように、配管Ｐや貯水タンク等の活性化対象の外形面に設置して、非磁性材または非磁性被膜を被覆したケース本体４の内部に設けられた永久磁石１０、１０のＮ極またはＳ極の磁極面を当該の活性化対象の面に向けられている。
【００２３】
また該ケース本体４の内部に設けられた横断面が略逆凹形状を呈する磁性材で構成されているヨーク３の内部に設けられた磁石１０，１０の中間隙間や、さらに磁石列の両端やケース本体やヨークの隙間等に、非磁性導電性の例えば銅板等の金属板２，２が配置され磁束を収束させている。そして該ケース本体４の内部は、合成樹脂等の充填部材５が充填されて固化し、これらの部材を一体化している。
【００２４】
永久磁石１０は、例えば、一面が四角形の６面体形状を呈するネオジム磁石であって、磁力を付与する非対象物（通水管Ｐ等）に対峙する面である磁石の下面１０ａは、所定の対象物（例えば通水管Ｐ内の流水）に磁気を作用させる。磁性材からなるヨーク３の内側底面３ｂと磁石の上面１０ｂは、その底面同士を接した状態で設けられている。また磁石１０、１０列の最両端にも非磁性導電体２、２を設けてもよい。非磁性導電体２、２を設けた場合、磁石１０、ヨーク３と非磁性導電体２、２とで包囲された区画の磁束Ｂは、その配置により強く収束される。
【００２５】
非磁性導電性金属板２、２は、ヨークーと磁石間やケース本体とヨーク間の隙間空間にも適宜設けてよい。この非磁性導電性金属板２、２は、元素周期表１１族を中心とした電位の高い銅や銀等で構成され、非磁性導電性金属板２、２に区画された各永久磁石１０、１０とヨーク３で発生する磁束Ｂを収束させる効果があり、磁束が高められると共に、流体の流れ−磁力−非磁性導電体とで起電力（イオン）が発生する。
【００２６】
ヨーク３は、磁性材例えば、磁化ステンレスＳＵＳ４３０や軟鉄板からなり、横断面形状が逆凹状に折り曲げ成型されている。ヨーク３は永久磁石１０の力を増強させる部材であり、ヨークの下方の側面端部３ａは、永久磁石１０の上面１０ｂ側に面している（図１参照）。ヨーク３の形状としては、図５で示すように、板材を逆凹形状に曲げた形状の他に、図６で示すようにヨークの側面部に磁石厚さの中間部またはそれ以上の深さの複数個の縦スリットを形成させた形状のものでもよい。この場合は、磁石ーヨーク間の磁束がスリットの端部からも発せられ、磁束を多方向から効率的に通水管に与えることができ、流体への活性化効果を高めることができる。また図７で示すように、ヨーク３の側面を各磁石に対して片側のみ形成してもよい。この場合でも磁束は磁石ーヨーク間で、ヨークの働きで磁力が強化されると共に、ヨーク３自体の形状を簡素化し、流体活性化装置の軽量化に役立つ。
【００２７】
ケース本体４は、非磁性体の材料、例えばＳＵＳ３０４やＡＢＳ樹脂あるいは磁性材のケース本体４に非磁性の膜で被覆した長方体の箱形状である。ケース本体４の内側底面４ｂには、前記ヨーク３が設けられている。このヨーク３の内側底面３ｂには、前記の永久磁石１０、１０と非磁性導電性金属板２、２が設けられている。そしてケース本体４とヨーク３及び磁石１０、１０の側部は、互いに側面同士が非接触状態で配置されている。
【００２８】
前記ケース本体４の内部の隙間空間は、流動性の合成樹脂を流して固めた充填剤５で満たされている。この構成からヨーク３とこれに設けられた前記磁石１０、１０と前記非磁性導電性金属板２、２は、充填剤５で全体が満たされて、水や空気等との接触を妨げ錆の発生を防止する。すなわちヨーク３、磁石１０、１０と非磁性導電性金属板２、２は、充填剤５でケース本体４の内部に埋没している。あるいは、ヨーク３の側面端部３ａのみは、充填剤５の面から外部に突出していてもよい。ヨーク３が充填剤５の面から突出している場合は、ヨークを錆に強いステンレス材や防錆塗料等で錆の発生を防止することができる。
【００２９】
永久磁石１０、１０と非磁性導電性金属板２、２とヨーク３とで各磁石は区画されている。このことにより、磁石の磁束Ｂを個々に収束させることができる。また、ヨーク３に固定された前記磁石１０，１０の磁極をＮ−Ｓ極交互に配置した場合では、永久磁石１０、１０の間に挿入された非磁性導電性金属板２により、被活性化対象物への磁束の方向が流体の流れに対して交互に反転し、非磁性導電性金属板２の表裏面に発生する起電力は逆方向の閉回路を構成し、金属板２で起電力（イオン）は高められる。さらにヨーク３の側面に縦スリット３ｄを磁石厚さの中間位置またはそれ以下まで設けることで、磁束Ｂはスリットの各端部から多方向から方射される。このことで、流体の活性化効果は、高磁力および発生したイオンの相乗効果でさらに高めることができる。
【００３０】
ケース本体４内の隙間空間の充填部材５により永久磁石１０に錆が生じて磁石の劣化を防止することができる。また、固化した充填部材によってケース本体の内部における永久磁石のがたつきを防止することができるので、永久磁石と非磁性導電性金属板２とヨーク３の配置にずれや歪みが生じてしまうことや、永久磁石に割れや欠けが生じてしまうことを防止することができる。これらの特徴により流体活性化装置１０の磁気的性能や流体活性化性能を長期に維持することができる。また非磁性材のケース本体４の底部とヨーク３の間に充填剤５を設けた場合には、ケース本体４からの外部への磁石１０の磁力漏れの影響をさらに弱くすることができる。
【００３１】
第１実施例の流体活性化装置１０を、比較的大径の通水管Ｐの周囲や貯水タンクの外面に三組使用した流体活性化処理の例について説明する（図８参照）。まず、ヨーク３の内側底面３ｂに設けた永久磁石１０、１０の磁力の作用面である下面１０ａを通水管Ｐ側に向けて、通水管の外面円周上に略３等配の１２０度毎の位置で３個固定する。管と流体活性化装置を固定する手段は、金属の磁性体の管では特に磁力で吸着されて必要ないが、塩化ビニール管などの非磁性体の管では、例えばテープや金属製ワイヤ等で適宜に固定できる。長方体箱形状のケース本体４は、その長手方向を通水管の長手方向と同方向に配置する。
【００３２】
略同一円周上に配置されたＮ極あるいはＳ極同士の磁束Ｂは、隣接する活性化装置の同極同士の磁束反発力と、各非磁性高導体の金属板２、２の磁束を収束させる働きと、ヨーク３の側面端部３ａあるいは縦スリット３ｄの端部と磁石間との磁束で、通水管Ｐの内部深くまで磁束が働く。本発明の活性化装置は、管外径の両側にＮ−Ｓ極を対に配置する必要がない。工場のプラントや製造装置等で用いられる大径の管や貯水タンク内の流水を、磁力とイオンの相乗効果で流体活性化効果を高めることができる。
【実施例２】
【００３３】
次に本発明の第２実施例を図９を用いて説明する。以下に述べる第２実施例は、一般的な家庭や事務所等の上水配管や庭の散水管等で用いて最適な例である。例えば、井戸水や水道水等の配管、例えば塩化ビニール管や鉄管等で通常用いられる径（１０Ａ〜２５Ａ等）の給水配管に適した流体活性化装置の実施例である。
【００３４】
第1実施例と同じ機能を有する第２実施例の部材は、その引用番号を同じくし、その詳細な説明を以下省略する。第２実施例の流体活性化装置１は、その外形斜視図である図９に示すように、第１実施例で説明したケース本体４の両側面とケース本体の内部に設けられたヨーク３の側面を、それぞれ上下縦方向にさらに延長した形状である。この第２実施例は、縦方向に伸ばしたケース本体４と、該ケース本体４の内部に嵌る蓋体８からなる。被流体活性化対象である流体が流れる通水管Ｐは、該ケース本体４内部のヨーク３の側面３ｃの内部位置で固化した充填剤５の表面と、蓋体８とでしっくり挟まれた状態で組み合わされる。さらに磁力の外部への漏れを少なくする目的で蓋体８の内部にも充填剤５や非磁性高導体の金属板２を設けてもよい。この場合は、通水管Ｐはケース本体と蓋体の樹脂等で挟まれることになり、振動の伝達防止や磁気の外部への漏れをさらに弱めることができる。また組み合わせる通水管Ｐの外径の違いにより、蓋体８をケース本体内を出入りさせることで、通水管Ｐを流体活性化装置１の内部にしっくり嵌る状態で一体化できる。
【００３５】
第２実施例の横断面図である図１０に示すように、ケース本体４の側面端部４ａは、略通水管Ｐの下部の位置近くまで伸びている。ヨーク３の側面端部３ａは、該通水管Ｐの径の中心の位置あるいはさらに下方にまで伸びている。一方、上記蓋体８の形状は、その横断面形状は凹状の箱形状を成し、ケース本体４の側面の内部と嵌る。図１０に示す例は、蓋体８の内部底面に、合成樹脂からなる充填剤５が固化した状態で設けられている例を示す。ケース本体４と蓋体８の長手方向（通水管Ｐの長手方向）の各両端面４ｅと８ｅは、各種異なる径の通水管Ｐの外形が通る程度の略Ｕ形状の開孔４ｄ及び８ｄがそれぞれ開口形成されている（図９参照）。
【００３６】
第２実施例の横断面図１０と縦断面図１１で示す例では、通水管Ｐはケース本体４の内部に設けられたヨーク３の両側面３ｃ、３ｃの中間位置の充填剤５の表面に直接接触し、反対側は蓋体８にそれぞれ押された状態で一体化されている。一方、磁石１０，１０の磁極を交互に逆に変えてヨーク３の内側底面に設けた場合でも、磁石１０は非磁性導電性金属２、２とヨーク３にそれぞれ磁石ごとに区画され、磁束Ｂが集束されて磁力が高められる。さらに隣接する逆方向の磁力で非磁性導電性金属２、２の表裏面には逆方向の起電力によって発生したイオンの働きで流体のイオンに働いて活性化が効率的に行われる。また充填剤５により磁石１０と非磁性導電性金属２は、錆や管等の振動衝撃から磁石の欠損が防止できると共に、外部への磁力の漏れが少なくできることは、第1実施例の効果と同様である。
【実施例３】
【００３７】
第１２図は本発明の第３実施例の横断面図であり、通水管Ｐの外径に応じてヨーク３の側面端部３ａを管Ｐに近接する方向に折曲げ、さらに磁力を高めた例である。
【００３８】
なお、本発明の流体には気体も含まれる。以上説明した実施例に限らず、本発明の要旨を逸脱しない範囲で具体的に装置を変更することが可能であることはいうまでもない。
【符号の説明】
【００３９】
１…流体活性化装置
２…非磁性高導体
３…ヨーク、３ａ  側面端部、３ｂ  内側底面、３ｃ  側面、３ｄ  縦スリット
４…ケース本体、４ａ 側面端部、４ｂ 内側底面、４ｃ 内側側面、４ｄ 開孔、４ｃ 端面
５… 充填材
８蓋体、８ｃ 端面
１０…磁石、１０ａ 下面、１０ｂ 上面
Ｂ…磁束
Ｐ…通水管
【図１】
2013173083.tif 000003
【図２】
2013173083.tif 000004
【図３】
2013173083.tif 000005
【図４】
2013173083.tif 000006
【図５】
2013173083.tif 000007
【図６】
2013173083.tif 000008
【図７】
2013173083.tif 000009
【図８】
2013173083.tif 000010
【図９】
2013173083.tif 000011
【図１０】
2013173083.tif 000012
【図１１】
2013173083.tif 000013
【図１２】
2013173083.tif 000014